(57)【特許請求の範囲】
【請求項１】
表示部にアイコンを表示する表示制御装置であって、
前記表示部に、電子機器に保存されているファイルを示すファイル表示アイコン、および前記ファイルに対する処理の機能を示し、前記ファイル表示アイコンのドラッグアンドドロップにより前記ファイルに対して前記処理を実行する処理実行アイコンを表示するよう制御する表示制御部と、
前記表示部において指定された閉じられた領域を、指定領域として認識する指定領域認識部と、
前記指定領域認識部により認識された前記指定領域内に前記ファイル表示アイコン、および前記処理実行アイコンがあれば、前記ファイル表示アイコンに対応する前記ファイルを、前記処理実行アイコンに対応する処理の対象として特定する処理対象特定部と、
所定のタイミングで、前記処理対象特定部により特定された前記ファイルに対して、前記指定領域内にある前記処理実行アイコンに対応する処理を実行する処理実行部とを備え、
前記表示制御部は、前記指定領域認識部により前記指定領域が認識された後に、タップにより前記処理実行部による処理を実行させる処理実行開始アイコンを表示するよう制御し、
前記所定のタイミングは、前記処理実行開始アイコンがタップされたタイミングである、表示制御装置。
【請求項２】
表示部にアイコンを表示する表示制御装置であって、
前記表示部に、電子機器に保存されているファイルを示すファイル表示アイコン、および前記ファイルに対する処理の機能を示し、前記ファイル表示アイコンのドラッグアンドドロップにより前記ファイルに対して前記処理を実行する処理実行アイコンを表示するよう制御する表示制御部と、
前記表示部において指定された閉じられた領域を、指定領域として認識する指定領域認識部と、
前記指定領域認識部により認識された前記指定領域内に前記ファイル表示アイコン、および前記処理実行アイコンがあれば、前記ファイル表示アイコンに対応する前記ファイルを、前記処理実行アイコンに対応する処理の対象として特定する処理対象特定部と、
所定のタイミングで、前記処理対象特定部により特定された前記ファイルに対して、前記指定領域内にある前記処理実行アイコンに対応する処理を実行する処理実行部とを備え、
前記処理対象特定部は、前記処理実行部による前記処理の実行の前に、前記指定領域の内側から外側へ前記ファイル表示アイコンのドラッグアンドドロップがなされれば、前記ファイル表示アイコンを前記処理対象から除外する、表示制御装置。
【請求項３】
表示部にアイコンを表示する表示制御装置であって、
前記表示部に、電子機器に保存されているファイルを示すファイル表示アイコン、および前記ファイルに対する処理の機能を示し、前記ファイル表示アイコンのドラッグアンドドロップにより前記ファイルに対して前記処理を実行する処理実行アイコンを表示するよう制御する表示制御部と、
前記表示部において指定された閉じられた領域を、指定領域として認識する指定領域認識部と、
前記指定領域認識部により認識された前記指定領域内に前記ファイル表示アイコン、および前記処理実行アイコンがあれば、前記ファイル表示アイコンに対応する前記ファイルを、前記処理実行アイコンに対応する処理の対象として特定する処理対象特定部と、
所定のタイミングで、前記処理対象特定部により特定された前記ファイルに対して、前記指定領域内にある前記処理実行アイコンに対応する処理を実行する処理実行部と、
予めファイルの種類を登録するファイル種類登録部とを備え、
前記処理実行部は、前記ファイル種類登録部により登録されたファイルの種類であり、前記処理対象特定部により特定された前記ファイルに対して処理を実行する、表示制御装置。
【請求項４】
前記指定領域認識部は、前記表示部をなぞられて閉じられた領域を、前記指定領域として認識する、請求項１〜３のいずれか１項に記載の表示制御装置。
【請求項５】
前記表示制御部は、前記表示部をなぞられた軌跡を線で表示するよう制御する、請求項１〜３のいずれか１項に記載の表示制御装置。
【請求項６】
前記所定のタイミングは、前記表示部をなぞられて閉じられ、前記指定領域認識部により前記指定領域が認識されたタイミングである、請求項３に記載の表示制御装置。
【請求項７】
前記指定領域認識部は、複数の前記閉じられた領域を前記指定領域として認識する、請求項１〜３のいずれか１項に記載の表示制御装置。
【請求項８】
前記指定領域認識部は、なぞられる始点と終点とが所定の距離内であれば、前記始点と前記終点間でなぞられた領域を、前記指定領域として認識する、請求項１〜３のいずれか１項に記載の表示制御装置。
【請求項９】
前記処理対象特定部は、前記ファイル表示アイコンに対応する前記ファイルに対して、前記処理実行アイコンに対応する処理が不可能な場合は、前記処理対象から除外する、請求項１〜３のいずれか１項に記載の表示制御装置。
【請求項１０】
前記指定領域内に前記処理実行アイコンが複数含まれており、
前記処理対象特定部は、各前記処理実行アイコンについて、それぞれの前記処理実行アイコンで処理が可能な前記ファイル表示アイコンを処理の対象として特定する、請求項１〜３のいずれか１項に記載の表示制御装置。
【請求項１１】
前記指定領域認識部は、前記表示部において指定された閉じられた領域から除外する領域を指定して前記指定領域を認識可能である、請求項１〜３のいずれか１項に記載の表示制御装置。
【請求項１２】
前記処理実行アイコンは、印刷の処理を実行するアイコンであって、集約印刷の設定、カラーで印刷を行うか否かの設定、および対象となる印刷装置の設定のうちの少なくともいずれか一つの設定がなされている、請求項１〜３のいずれか１項に記載の表示制御装置。
【発明の詳細な説明】
【技術分野】
【０００１】
この発明は、表示制御装置に関するものである。
【背景技術】
【０００２】
スマートフォンといった携帯端末装置の表示画面には、タップによりアプリケーションを立ち上げたり、ファイルやフォルダを開けたりするアイコンが表示されている。アイコンをタップすると、ウィンドウを開いて表示して、アプリケーションが立ち上がったり、ファイルやフォルダが開いたりする。
【０００３】
ここで、印刷対象のファイルに対して、印刷実行用のアイコンにドラッグアンドドロップすることにより印刷を実行する情報処理装置に関する技術が、特開２００９−９３２９８号公報（特許文献１）に開示されている。
【０００４】
特許文献１に開示の情報処理装置は、表示手段と、ドラッグアンドドロップ検出手段と、判定手段と、制御手段とを備えている。表示手段は、予め設定された印刷装置に対し、設定された印刷条件での印刷ジョブを出力する処理であることを示す印刷実行用アイコンを表示可能である。ドラッグアンドドロップ検出手段は、印刷対象のファイルがアイコンに対してドラッグアンドドロップされたことを検出する。判定手段は、ドラッグアンドドロップされたことが検出された場合には、アイコンで設定されている印刷装置が、ドラッグアンドドロップされた印刷対象のファイルを印刷する能力があるかどうかを判定する。制御手段は、判定手段により印刷能力があると判定された場合には、設定されている印刷装置へ印刷ジョブを出力し、印刷能力がないと判定された場合には、アイコンで設定されている印刷条件と同じ条件で、かつ印刷対象のファイルを印刷する能力のある印刷装置で印刷を行うための新たな印刷実行用アイコンを作成する。特許文献１に開示の情報処理装置は、上記した構成を備えることを特徴としている。
【先行技術文献】
【特許文献】
【０００５】
【特許文献１】特開２００９−９３２９８号公報
【発明の概要】
【発明が解決しようとする課題】
【０００６】
印刷実行用アイコンに印刷対象のファイルのアイコンをドラッグアンドドロップして、印刷を実行することができる情報処理装置がある。このような情報処理装置においては、ユーザーは、印刷しようとするファイルに対応するアイコンを、印刷実行用アイコンにドラッグアンドドロップすることとなる。
【０００７】
ここで、印刷対象のファイルが複数ある場合、一つ一つ各ファイルに対応するアイコンに対してドラッグアンドドロップをしなければならず、ユーザーの操作が煩雑となってしまう。特に、印刷の処理とそれ以外の処理といった複数の処理をドラッグアンドドロップにより実行する場合、ユーザーの煩雑さがより顕著となる。その結果、ユーザーの利便性に欠けてしまうこととなる。
【０００８】
特許文献１に開示の技術は、印刷対象のファイルを印刷する能力のある印刷装置で印刷を行うための新たな印刷実行用アイコンを作成する技術であるため、このような場合に対応することができない。
【０００９】
この発明の目的は、ユーザーの利便性を向上することができる表示制御装置を提供することである。
【課題を解決するための手段】
【００１０】
この発明の表示制御装置は、表示部にアイコンを表示する。表示制御装置は、表示制御部と、指定領域認識部と、処理対象特定部と、処理実行部とを備える。表示制御部は、表示部に、電子機器に保存されているファイルを示すファイル表示アイコン、およびファイルに対する処理の機能を示し、ファイル表示アイコンのドラッグアンドドロップによりファイルに対して処理を実行する処理実行アイコンを表示するよう制御する。指定領域認識部は、表示部において指定された閉じられた領域を、指定領域として認識する。処理対象特定部は、指定領域認識部により認識された指定領域内にファイル表示アイコン、および処理実行アイコンがあれば、ファイル表示アイコンに対応するファイルを、処理実行アイコンに対応する処理の対象として特定する。処理実行部は、所定のタイミングで、処理対象特定部により特定されたファイルに対して、指定領域内にある処理実行アイコンに対応する処理を実行する。表示制御部は、指定領域認識部により指定領域が認識された後に、タップにより処理実行部による処理を実行させる処理実行開始アイコンを表示するよう制御する。所定のタイミングは、処理実行開始アイコンがタップされたタイミングである。
【発明の効果】
【００１１】
このような表示制御装置によると、ユーザーに指定させた指定領域を認識し、ファイル表示アイコンが指定領域内にあれば、指定領域内にある処理実行アイコンに対応する処理を、ファイル表示アイコンに対応するファイルに対して実行する。そうすると、複数のファイル表示アイコンを処理対象アイコンに一つ一つドラッグアンドドロップする手間を省いて、複数のファイルへの処理を実行させることができる。したがって、ユーザーの利便性を向上することができる。
【図面の簡単な説明】
【００１２】
【図１】この発明の一実施形態に係る表示制御装置を含む携帯端末装置の構成を示すブロック図である。
【図２】図１に示す携帯端末装置の外観を示す図である。
【図３】表示制御装置における代表的な処理の流れを示すフローチャートである。
【図４】表示画面において、領域を指定した状態を示す図である。
【図５】処理実行開始アイコンを表示させる場合の表示制御装置における代表的な処理の流れを示すフローチャートである。
【図６】処理実行開始アイコンを表示した表示画面の一例を示す図である。
【図７】指定領域の外側から内側へファイル表示アイコンのドラッグアンドドロップがなされた状態を示す図である。
【図８】境界を示す線を外側に引っ張って指定領域を拡張した場合を示す図である。
【図９】この発明の他の実施形態に係る表示制御装置を含む携帯端末装置の構成を示すブロック図である。
【発明を実施するための形態】
【００１３】
以下、この発明の実施の形態について説明する。図１は、この発明の一実施形態に係る表示制御装置を含む携帯端末装置の構成を示すブロック図である。図２は、図１に示す携帯端末装置の外観を示す図である。
【００１４】
図１および図２を参照して、携帯端末装置１１は、携帯端末装置制御部１２と、表示部としての表示画面１３と、不揮発性メモリ１４と、テンキー１５と、機能選択キー１６と、表示制御装置２１とを備える。携帯端末装置１１は、外部の電子機器と通信可能に構成されている。すなわち、携帯端末装置１１は、通信可能なプリンターやＭＦＰ（Ｍｕｌｔｉｆｕｎｃｔｉｏｎａｌ  Ｐｒｉｎｔｅｒ）（いずれも図示せず）と接続し、携帯端末装置１１からの画像データの送信および印刷要求により、プリンターやＭＦＰを用いたファイルの印刷が可能である。また、携帯端末装置１１は、ＭＦＰ等に内蔵されるハードディスクに対してファイルのデータを送信して、ファイルの保存、いわゆるボックス保存が可能である。
【００１５】
携帯端末装置制御部１２は、携帯端末装置１１自身を制御する。不揮発性メモリ１４は、種々のデータを格納する。また、不揮発性メモリ１４には、種々のアプリケーションがインストールされている。ユーザーは、テンキー１５の押下により、０〜９までの数値やＡ〜Ｚまでのアルファベット等を入力することができる。また、ユーザーは、機能選択キー１６の所定の箇所を押下して、種々の操作を行うことができる。例えば、携帯端末装置１１における携帯電話機能を選択して、機能選択キー１６の押下により通話を開始したり、通話を終了させたりする。
【００１６】
表示画面１３は、携帯端末装置１１における情報の表示に際して、ユーザーへの出力のインターフェースとなる。すなわち、表示画面１３において、携帯端末装置１１における種々の情報を表示すると共に、ユーザーによる入力内容等を表示する。
【００１７】
また、表示画面１３は、タッチパネル型式であり、ユーザーから携帯端末装置１１に対する入力のインターフェースにもなる。すなわち、ユーザーは、表示画面１３に表示される内容を見て、指を使ってアイコンへのタップ等を行うことにより、携帯端末装置１１への実行の命令の入力等の操作を行う。
【００１８】
表示制御装置２１は、表示制御部２２を備える。表示制御部２２は、表示画面１３に、携帯端末装置１１に保存されているファイルを示すファイル表示アイコン３１、３２、３３、３４を表示するよう制御する。なお、ファイルとは、電子ファイルを指す。それぞれのファイル表示アイコン３１〜３４は、所定の間隔を開けて表示されている。ファイル表示アイコン３１〜３４をタップすることにより、それぞれのファイルに対応するアプリケーションを立ち上げることができる。なお、ファイル表示アイコン３３については、印刷および保存が実行できないファイルに対応するものである。
【００１９】
また、表示制御装置２１は、表示画面１３に、ファイルに対する処理の機能を示し、ファイル表示アイコン３１〜３４のドラッグアンドドロップによりファイルに対して処理を実行する処理実行アイコン３５、３６を表示するよう制御する。処理実行アイコン３５は、ファイル表示アイコン３１〜３４のドラッグアンドドロップにより、印刷の処理を実行するアイコンである。処理実行アイコン３６は、ファイル表示アイコン３１〜３４のドラッグアンドドロップにより、携帯端末装置１１と外部に接続された電子機器、具体的には、携帯端末装置１１と通信可能に接続されたＭＦＰの保存ボックスに対して保存の処理を実行するアイコンである。処理実行アイコン３５、３６についても、それぞれ所定の間隔を開けて表示されている。
【００２０】
ここで、表示制御装置２１は、指定領域認識部２３と、処理対象特定部２４と、処理実行部２５とを備える。指定領域認識部２３は、表示画面１３上において指定された閉じられた領域を、指定領域として認識する。処理対象特定部２４は、指定領域認識部２３により認識された指定領域内にファイル表示アイコン３１〜３４、および処理実行アイコン３５、３６があれば、ファイル表示アイコン３１〜３４に対応するファイルを、処理実行アイコン３５、３６に対応する処理の対象として特定する。処理実行部２５は、所定のタイミングで、処理対象特定部２４により特定されたファイルに対して、指定領域内にある処理実行アイコン３５、３６に対応する処理を実行する。
【００２１】
次に、表示制御装置２１を含む携帯端末装置１１における処理について説明する。図３は、表示制御装置２１における代表的な処理の流れを示すフローチャートである。図３を参照して、携帯端末装置１１が立ち上げられると、表示制御装置２１における表示制御部２２は、全てのアイコン３１〜３６を表示画面１３に表示する（図３において、ステップＳ１１、以下、「ステップ」を省略する）。すなわち、表示制御部２２は、表示画面１３に、ファイル表示アイコン３１〜３４、および処理実行アイコン３５、３６を表示する。
【００２２】
そして、ユーザーは、処理を行うファイル、および処理の内容を特定すべく、領域を指定する（Ｓ１２）。図４は、表示画面１３において、領域を指定した状態を示す図である。図４を併せて参照して、この場合、ファイル表示アイコン３１、３２、３３と、処理実行アイコン３５、３６が含まれるよう、ユーザーの指３７によってなぞられて閉じられ、領域が指定される。なお、表示制御部２２は、表示画面１３上をなぞられた軌跡を線３８で表示するよう制御する。この線３８については、表示画面１３の背景色と異なる色で表示するとよい。この指４１でなぞって領域を指定する動作は、スワイプ操作に近いものである。
【００２３】
そうすると、指定領域認識部２３は、表示画面１３上において指定された閉じられた領域を、指定領域３９として認識する（Ｓ１３）。この場合、表示制御部２２は、閉じられた指定領域３９について、背景の色と異なる色で表示するよう制御してもよい。
【００２４】
その後、処理対象特定部２４は、指定領域認識部２３により認識された指定領域３９内にファイル表示アイコン３１〜３４、および処理実行アイコン３５、３６があれば、ファイル表示アイコン３１〜３４に対応するファイルを、処理実行アイコン３５、３６に対応する処理の対象として特定する（Ｓ１４）。
【００２５】
この場合、ファイル表示アイコン３１〜３３が、指定領域３９内に含まれており、ファイル表示アイコン３１〜３４に対応するファイルが、処理対象のファイルであることが特定される。また、処理実行アイコン３５、３６が指定領域３９内に含まれており、処理実行アイコン３５、３６に対応する処理、すなわち、印刷および保存を、実行する処理として特定する。ここで、指定領域３９内にあるファイル表示アイコン３３について、処理対象特定部２４は、ファイル表示アイコン３３に対応するファイルに対して、処理実行アイコン３５、３６に対応する処理が不可能であるため、処理対象から除外する。
【００２６】
その後、処理実行部２５は、所定のタイミングで、処理対象特定部２４により特定されたファイルに対し、特定した処理を実行する（Ｓ１５）。この場合、所定のタイミングとして、表示画面１３上をなぞられて閉じられ、指定領域認識部２３により指定領域３９が認識されたタイミングである。
【００２７】
具体的には、ユーザーの指３７により、なぞられた軌跡が閉じられ、線３８により指定領域３９が閉鎖領域となって確定したタイミングで、ファイル表示アイコン３１、３２にそれぞれ対応するファイルの印刷処理および保存処理がそれぞれ実行される。この場合、印刷や保存の順序については、特に規定されず、例えば、ファイルの種類や更新日時の新しいものからといった順序で実行される。なお、処理の効率が最も良い順序を導出して、その順序でファイル表示アイコン３１、３２に対応するファイルの処理を行ってもよい。
【００２８】
印刷や保存の処理が終了すれば、表示制御部２２は、線３８の表示を表示画面１３上から消去する。そして、一連の処理を終了する。
【００２９】
このような表示制御装置２１によると、ユーザーに指定させた指定領域３９を認識し、ファイル表示アイコン３１、３２が指定領域３９内にあれば、指定領域３９内にある処理実行アイコン３５、３６に対応する処理を、ファイル表示アイコン３１、３２に対応するファイルに対して実行する。そうすると、複数のファイル表示アイコン３１、３２を処理対象アイコン３５、３６に一つ一つドラッグアンドドロップする手間を省いて、複数のファイルへの処理を実行させることができる。したがって、ユーザーの利便性を向上することができる。
【００３０】
この場合、所定のタイミングを、表示画面１３上をなぞられて閉じられ、指定領域認識部２３により指定領域３９が認識されたタイミングとしているため、より迅速にユーザーの要望に応じたファイルの処理を実行することができる。
【００３１】
また、この場合、表示制御部２２は、表示画面１３上をなぞられた軌跡を線３８で表示するよう制御しているため、視覚的にユーザーが指定領域３９を容易に認識することができる。
【００３２】
また、この場合、処理対象特定部２４は、ファイル表示アイコン３３に対応するファイルに対して、処理実行アイコン３５、３６に対応する処理が不可能な場合は、処理対象から除外しているため、より容易に指定領域３９を指定することができる。すなわち、処理が不可能なファイルに対応するファイル表示アイコン３３を回避して指定領域３９を指定する必要はなく、ユーザーのさらなる利便性の向上を図ることができる。
【００３３】
なお、上記の実施の形態においては、所定のタイミングを、表示画面１３上をなぞられて閉じられ、指定領域認識部２３により指定領域３９が認識されたタイミングとしたが、これに限らず、例えば、指定領域３９が指定された後、表示画面１３上におけるフリック操作の検知を所定のタイミングとしてもよい。さらに、表示制御部２２は、指定領域認識部２３により指定領域３９が認識された後に、タップにより処理実行部２５による処理を実行させる処理実行開始アイコンを表示するよう制御し、所定のタイミングは、処理実行開始アイコンがタップされたタイミングであるよう構成してもよい。
【００３４】
また、処理対象特定部２４は、処理実行部２５による処理の実行の前に、指定領域３９の外側から内側へファイル表示アイコンのドラッグアンドドロップがなされれば、ファイル表示アイコンに対応するファイルを処理対象に含めるよう構成してもよい。さらに、処理対象特定部２４は、処理実行部２５による処理の実行の前に、指定領域３９の内側から外側へファイル表示アイコンのドラッグアンドドロップがなされれば、ファイル表示アイコンに対応するファイルを処理対象から除外するよう構成してもよい。
【００３５】
図５は、処理実行開始アイコンを表示させる場合の表示制御装置２１における代表的な処理の流れを示すフローチャートである。図５を参照して、Ｓ２１〜Ｓ２４については、上記した図３に示すＳ１１〜Ｓ１４にそれぞれ対応して同様であるため、それらのステップの説明を省略する。そして、Ｓ２４において処理対象および処理内容を特定すると共に、処理実行開始アイコンを表示する（Ｓ２５）。
【００３６】
図６は、処理実行開始アイコンを表示した表示画面１３の一例を示す図である。併せて図６を参照して、この場合、表示画面１３の指定領域３９内に、ファイル表示アイコン３１〜３３、処理実行アイコン３５、３６が表示されており、表示画面１３の指定領域３９外に、ファイル表示アイコン３４が表示されている。そして、上側に位置する線３８の一部を覆うようにして、処理実行開始アイコン４０が表示されている。処理実行開始アイコン４０は、タップされることを検知すると、処理実行部２５による処理を実行するアイコンである。すなわち、処理実行部２５は、処理実行開始アイコン４０のタップを検知するまでは、処理を実行しない。したがって、ユーザーは、処理実行開始アイコン４０がタップされるまで、ファイル表示アイコン３１〜３４や処理実行アイコン３５、３６を指定領域３９の内外に移動させることができる。
【００３７】
ここで、処理対象特定部２４は、指定領域３９内のアイコンについて、変更があったか否かを検知する（Ｓ２６）。図７は、指定領域３９の外側から内側へファイル表示アイコン３４のドラッグアンドドロップがなされた状態を示す図である。図７に示すように、指定領域３９の外側から内側へファイル表示アイコン３４のドラッグアンドドロップがなされれば（Ｓ２６において、ＹＥＳ）、ファイル表示アイコン３４を処理対象に含める。すなわち、ドラッグアンドドロップがなされて指定領域３９内に配置されたファイル表示アイコン３４を含めて、処理対象特定部２４は、処理実行アイコン３５、３６による処理の対象を再度特定する（Ｓ２７）。
【００３８】
なお、指定領域３９の内側から外側へファイル表示アイコンのドラッグアンドドロップがなされれば、ファイル表示アイコンを処理対象から除外する。すなわち、ドラッグアンドドロップがなされて指定領域３９外に配置されたファイル表示アイコン３４については、処理対象特定部２４は、処理実行アイコン３５、３６による処理の対象として特定しない。このようにして、処理対象および処理内容を再度特定する。
【００３９】
そして、処理実行開始アイコン４０のタップが検知されれば（Ｓ２８において、ＹＥＳ）、指定領域３９内のファイル表示アイコン３１〜３４に対応する処理を実行する（Ｓ２９）。
【００４０】
このように構成することにより、指定領域３９を指定してから、ユーザーのニーズに沿ったファイル表示アイコン３４の増減や修正といった変更を容易に行うことができる。したがって、よりユーザーの利便性を向上させることができる。
【００４１】
なお、上記の実施の形態において、指定領域３９の一部を消去して修正できるような構成としてもよい。この場合、いわゆる消しゴムモードとして、指定領域３９を構成する線３８の一部を消し、再度線３８を追加して指定領域３９を修正する。また、上記の実施の形態において、指定領域３９について、境界を示す線３８を外側に引っ張って拡張し、ファイル表示アイコン３４を指定領域３９内に配置させるようにしてもよいし、境界を示す線３８を内側に引っ張って縮小し、ファイル表示アイコン３４を指定領域３９外に配置させるようにしてもよい。すなわち、指定領域３９は、拡張または縮小が可能な構成としてもよい。図８は、境界を示す線３８を外側に引っ張って指定領域３９を拡張した場合を示す図である。拡張された線３８は、破線で示している。図８に示すように、線３８を引っ張って指定領域３９を拡張し、ファイル表示アイコン３４を指定領域３９内に含めることができる。
【００４２】
また、処理実行アイコンについては、処理を行う際の設定を加味した内容を盛り込んだ処理を行うアイコンを複数作成して、これを処理実行アイコンとして表示することとしてもよい。すなわち、処理実行アイコンは、印刷の処理を実行するアイコンであって、例えば、集約印刷の設定、カラーで印刷を行うか否かの設定、および対象となる印刷装置の設定のうちの少なくともいずれか一つの設定がなされているよう構成してもよい。具体的には、例えば、印刷処理の処理実行アイコンについて、２ｉｎ１印刷の設定やカラー印刷の設定、印刷の際の対象ＭＦＰの設定がなされた処理実行アイコンをそれぞれ表示しておく。そして、２ｉｎ１印刷を行いたい場合には、複数の処理実行アイコンの中から該当の処理実行アイコンを指定領域３９内に含めるようにする。このように構成することにより、よりユーザーの要求する処理を容易に行うことができ、ユーザーのさらなる利便性の向上を図ることができる。なお、この場合、設定がなされた処理実行アイコンにおいて、設定の内容をアイコン自体に表示するようにしてもよい。
【００４３】
なお、上記の実施の形態においては、ユーザーの指３７で表示画面１３上をなぞって、領域を指定することとしたが、これに限らず、例えば、ユーザーの指で表示画面１３上の複数の箇所をタップし、各タップされた箇所を結んだ領域を指定領域３９とするよう制御してもよい。
【００４４】
また、上記の実施の形態においては、処理対象特定部２４は、ファイル表示アイコン３３に対応するファイルに対して、処理実行アイコン３５、３６に対応する処理が不可能な場合は、処理対象から除外することとしたが、表示制御部２２は、この場合に、処理対象から除外した旨を表示画面１３に表示するようにしてもよい。
【００４５】
なお、上記の実施の形態においては、指定領域認識部２３は、一つの閉じられた領域を指定領域３９として認識することとしたが、これに限らず、指定領域認識部２３は、複数の閉じられた領域を指定領域３９として認識するよう構成してもよい。こうすることにより、さらにユーザーの利便性の向上を図ることができる。また、指定領域認識部２３は、なぞられる始点と終点とが所定の距離内であれば、始点と終点間でなぞられた領域を、指定領域３９として認識するよう構成してもよい。こうすることによっても、さらにユーザーの利便性の向上を図ることができる。
【００４６】
また、指定領域３９内に処理実行アイコンが複数含まれており、処理対象特定部２４は、各処理実行アイコンについて、それぞれの処理実行アイコンで処理が可能なファイル表示アイコンを処理の対象として特定するよう構成してもよい。こうすることにより、ユーザーは、ファイル表示アイコンや処理実行アイコンの指定を容易にして、ユーザーの利便性の向上を図ることができる。
【００４７】
なお、指定領域認識部２３は、表示画面１３において指定された閉じられた領域から除外する領域を指定して指定領域３９を認識可能な構成としてもよい。具体的には、例えば、閉じられた領域の中にさらに閉じられた領域を指定し、このさらに閉じられた領域については、指定領域から除外するものとする。こうすることによっても、ファイル表示アイコンや処理実行アイコンの指定を容易にして、ユーザーの利便性の向上を図ることができる。
【００４８】
また、表示制御装置は、以下のような構成であってもよい。すなわち、表示制御装置は、予めファイルの種類を登録するファイル種類登録部をさらに備える構成とする。そして、処理実行部２５は、ファイル登録部により登録されたファイルの種類であり、処理対象特定部２４により特定されたファイルに対して処理を実行するよう構成する。
【００４９】
図９は、この場合の表示制御装置の構成を示すブロック図である。図９は、図１に対応するものであり、図１と同様の構成については、同一の符号を付してそれらの説明を省略する。
【００５０】
図９を参照して、この発明の他の実施形態に係る表示制御装置２６を含む携帯端末装置１７において、表示制御装置２６は、予めファイルの種類を登録するファイル登録部２７を備える。ファイル種類登録部２７へのファイルの種類の登録は、テンキー１５や機能選択キー１６を用いて行われる。ファイル種類登録部２７に登録されるファイルの種類については、例えば、エクセルファイルやワードファイルといった具合である。
【００５１】
そして、処理実行部２５は、ファイル種類登録部２７により登録されたファイルの種類であり、処理対象特定部２４により特定されたファイルに対して処理を実行する。このように構成することにより、ファイルの種類に応じて、処理を実行させることができ、よりユーザーの利便性の向上を図ることができる。
【００５２】
なお、上記の実施の形態においては、表示制御装置２１を含む携帯端末装置１１の場合について説明したが、これに限らず、表示制御装置２１は、タブレットＰＣ等、電子機器の表示画面への表示の制御にも適用される。
【００５３】
また、上記の実施の形態においては、表示部として表示画面１３を適用することとしたが、これに限らず、表示部については、表示画面以外についても適用されるものである。また、上記の実施形態において、不揮発性メモリ１４については、例えば、記憶装置やハードディスクを適用することにしてもよい。
【００５４】
今回開示された実施の形態および実施例はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００５５】
この発明に係る表示制御装置は、ユーザーの利便性の向上が要求される場合に、特に有効に利用される。
【符号の説明】
【００５６】
１１，１７  携帯端末装置、１２  携帯端末装置制御部、１３  表示画面、１４  不揮発性メモリ、１５  テンキー、１６  機能選択キー、２１，２６  表示制御装置、２２  表示制御部、２３  指定領域認識部、２４  処理対象特定部、２５  処理実行部、２７  ファイル登録部、３１，３２，３３，３４，３５，３６，４０  アイコン、３７  指、３８  線、３９  指定領域。
【図１】
0006465056.tif 000002
【図２】
0006465056.tif 000003
【図３】
0006465056.tif 000004
【図４】
0006465056.tif 000005
【図５】
0006465056.tif 000006
【図６】
0006465056.tif 000007
【図７】
0006465056.tif 000008
【図８】
0006465056.tif 000009
【図９】
0006465056.tif 000010